(57)【要約】      （修正有）【課題】発電効率を向上させることが可能な燃料電池の製造方法の提供。【解決手段】燃料電池スタック１０内のガス流路２６，２８に組み込まれる複数の多孔体３０を準備する第１の工程と、多孔体３０を重量に基づいて選別する第２の工程と、選別した多孔体３０を用いて燃料電池スタック１０を製造する第３の工程と、を有する。多孔体３０の重量とガスの通気抵抗には相関があるため、重量に基づいて多孔体３０を選別することで、ガスの通気抵抗を均一化することが可能となり、発電効率を向上することができる。【選択図】図１
2007184134.tif 000002
【特許請求の範囲】
【請求項１】
燃料電池内のガス流路に組み込まれる複数の多孔体を準備する第１の工程と、
前記多孔体を重量に基づいて選別する第２の工程と、
選別した前記多孔体を用いて燃料電池を製造する第３の工程と、
を有することを特徴とする燃料電池の製造方法。
【請求項２】
前記第２の工程において、重量が所定の上限値以下の多孔体を選別することを特徴とする請求項１記載の燃料電池の製造方法。
【請求項３】
前記第２の工程において、重量が前記上限値以下であり、且つ所定の下限値以上の前記多孔体を選別することを特徴とする請求項２記載の燃料電池の製造方法。
【請求項４】
前記第３の工程において、選別した前記多孔体を重量に基づいて分類し、所定の重量区分毎に異なる燃料電池に組み込むことを特徴とする請求項３記載の燃料電池の製造方法。
【請求項５】
前記第２の工程の後、選別されなかった前記多孔体を修正する第４の工程を更に有し、
前記第３の工程において、選別した前記多孔体及び修正された前記多孔体を用いて燃料電池を組み立てることを特徴とする請求項１〜４のいずれかに記載の燃料電池の製造方法。
【請求項６】
前記第４の工程において、重量が前記下限値未満の前記多孔体に圧延加工を行って、当該多孔体の厚さを減少させることを特徴とする請求項５記載の燃料電池の製造方法。
【請求項７】
前記第４の工程において、重量が前記上限値を超える前記多孔体の表面に切り欠きを形成することを特徴とする請求項５記載の燃料電池の製造方法。
【発明の詳細な説明】
【技術分野】
【０００１】
この発明は、燃料電池の製造方法に関し、特に、燃料電池内のガス流路に多孔体を設けた燃料電池に適用して好適である。
【背景技術】
【０００２】
燃料電池は、アノードに供給した水素とカソードに供給した酸素とを反応させて電力を発生する。このような燃料電池において、例えば特開２００４−８７３１８号公報には、微細孔を有する多孔体によって構成されたガス流路を有する燃料電池が開示されている。
【０００３】
【特許文献１】特開２００４−８７３１８号公報
【特許文献２】特開２００５−３０８０８号公報
【特許文献３】特開２００４−９３１８７号公報
【特許文献４】特開２００３−３３５５１５号公報
【発明の開示】
【発明が解決しようとする課題】
【０００４】
しかしながら、多孔体でガス流路を構成した場合、多孔体の全体積に占める微細孔の容積の割合（多孔率）にバラツキが発生するという問題がある。これは、多孔体の製造過程において、内部に均一に微細孔を形成することが困難であることに起因しており、多孔体の生産工程では多孔率に数十％のバラツキが発生することもある。そして、燃料電池内の各流路において、多孔体の多孔率にバラツキが発生すると、各単位セルのガス流路の圧力損失にバラツキが生じ、ガスの供給量が不均一となり、ガスの供給が不足する領域が発生する。このため、発電効率が低下するという問題が発生する。
【０００５】
また、この場合、最もガスの供給が不足している単位セルを基準として全単位セルへのガス供給量を増加する必要が生じ、ガスを供給するためのポンプ等の駆動負荷が増大するため、システムの効率低下という問題も発生する。
【０００６】
このため、燃料電池内は圧力損失が一定となるように多孔体を設けることが望ましいが、多孔体の通気抵抗が所定の範囲内にあるか否かを判定するためには、多孔体を燃料電池に組み込み、シール等の処置を施した後、通気抵抗を計測する必要があり、生産管理上コストがかかるという問題が生じていた。
【０００７】
この発明は、上述のような課題を解決するためになされたもので、燃料電池内のガス流路に設けられる多孔体の通気抵抗を均一化することで、燃料電池の発電効率を向上させることを目的とする。
【課題を解決するための手段】
【０００８】
第１の発明は、上記の目的を達成するため、燃料電池内のガス流路に組み込まれる複数の多孔体を準備する第１の工程と、前記多孔体を重量に基づいて選別する第２の工程と、選別した前記多孔体を用いて燃料電池を製造する第３の工程と、を有することを特徴とする。
【０００９】
第２の発明は、第１の発明において、前記第２の工程において、重量が所定の上限値以下の多孔体を選別することを特徴とする。
【００１０】
第３の発明は、第２の発明において、前記第２の工程において、重量が前記上限値以下であり、且つ所定の下限値以上の前記多孔体を選別することを特徴とする。
【００１１】
第４の発明は、第３の発明において、前記第３の工程において、選別した前記多孔体を重量に基づいて分類し、所定の重量区分毎に異なる燃料電池に組み込むことを特徴とする。
【００１２】
第５の発明は、第１〜第４の発明のいずれかにおいて、前記第２の工程の後、選別されなかった前記多孔体を修正する第４の工程を更に有し、前記第３の工程において、選別した前記多孔体及び修正された前記多孔体を用いて燃料電池を組み立てることを特徴とする。
【００１３】
第６の発明は、第５の発明において、前記第４の工程において、重量が前記下限値未満の前記多孔体に圧延加工を行って、当該多孔体の厚さを減少させることを特徴とする。
【００１４】
第７の発明は、第５の発明において、前記第４の工程において、重量が前記上限値を超える前記多孔体の表面に切り欠きを形成することを特徴とする。
【発明の効果】
【００１５】
第１の発明によれば、多孔体の重量と多孔体を流れるガスの通気抵抗には相関があるため、重量に基づいて多孔体を選別することで、ガスの通気抵抗を均一化することが可能となる。これにより、燃料電池のガス流路におけるガス流量を均一化することができ、発電効率を向上することが可能となる。
【００１６】
第２の発明によれば、重量が重い多孔体は多孔率が低く、通気抵抗が大きいため、重量が所定の上限値以下の多孔体を選別して燃料電池を製造することで、ガス流路における通気抵抗が増大してしまうことを抑えることができ、ガスの供給不足を回避できる。
【００１７】
第３の発明によれば、重量が所定の上限値以下であり、且つ所定の下限値以上の多孔体を選別するため、多孔体の通気抵抗のバラツキを抑えることが可能となる。従って、流路におけるガス流量を均一化することができ、発電効率を向上することが可能となる。
【００１８】
第４の発明によれば、選別された多孔体を重量に基づいて分類し、所定の重量区分毎に異なる燃料電池に組み込むため、燃料電池毎の多孔体の通気抵抗のバラツキを最小限に抑えることが可能となる。
【００１９】
第５の発明によれば、選別されなかった多孔体を修正するため、多孔体を再利用することができ、多孔体の利用効率を向上することが可能となる。
【００２０】
第６の発明によれば、重量が下限値未満の多孔体に圧延加工を行って、当該多孔体の厚さを減少させるため、多孔体の多孔率を減少させることができ、多孔体の通気抵抗を所望の範囲に収めることが可能となる。
【００２１】
第７の発明によれば、重量が上限値を超える多孔体の表面に切り欠きを形成するため、多孔体の多孔率を増加することができ、多孔体の通気抵抗を所望の範囲に収めることができる。
【発明を実施するための最良の形態】
【００２２】
以下、図面に基づいてこの発明のいくつかの実施の形態について説明する。尚、各図において共通する要素には、同一の符号を付して重複する説明を省略する。なお、以下の実施の形態によりこの発明が限定されるものではない。
【００２３】
実施の形態１．
図１は、本発明の各実施形態に係る燃料電池スタック１０を構成する単位セルの断面図である。燃料電池スタック１０は、例えば発電を行う際に水（水蒸気）を生成する種類のものであり、ここでは固体高分子型（ＰＥＭ）の燃料電池を例示する。図１は、燃料電池スタック１０を構成する複数の単位セルの１つを示しており、燃料電池スタック１０は図１の単位セルを積層して構成される。
【００２４】
図１は、積層方向に沿った単位セルの断面を示す模式図である。単位セルは、電解質膜１２、電解質膜１２の両側にそれぞれ配置される触媒層１４、拡散層１６、およびセパレータ１８，２０を有して構成される。図１において、セパレータ１８はアノード側に配置され、セパレータ２０はカソード側に配置されている。
【００２５】
電解質膜１２は、フッ素系樹脂などの固体高分子材料で形成されたプロトン伝導性のイオン交換膜である。触媒層１４は、白金（Ｐｔ）を担持したカーボンペーストを電解質膜１２の表面に塗布することで形成されている。拡散層１６は、カーボン繊維を織成したカーボンクロス、またはカーボン繊維、カーボンペーストを素材とするペーパーにより形成されている。セパレータ１８，２０は、カーボンを圧縮してガス不透過とした緻密質カーボンなどガス不透過の導電性部材により形成されている。
【００２６】
セパレータ１８と拡散層１６との間はリブ２２によって仕切られており、アノードガス（水素ガス）の流路２６が形成されている。また、セパレータ２０と拡散層１６との間はリブ２４によって仕切られており、カソードガス（酸素ガス）の流路２８が形成されている。
【００２７】
流路２６、流路２８内には、多孔体３０が設けられている。多孔体３０は、チタン、ニッケルなどの金属をウレタン発泡法などの方法で成形したものであり、多数の微細孔を備えている。従って、流路２６、流路２８内において、アノードガス、カソードガスは、多孔体３０の微細孔を通って流れる。
【００２８】
このように、流路２６、流路２８に金属製の多孔体３０を設けることで、セパレータ１８，２０と拡散層１６との接触面積を拡大することができ、各単位セルにおける集電効率を向上することが可能となる。
【００２９】
アノードガスが流路２６へ供給されると、アノードガス中の水素が拡散層１６および触媒層１４を通過する過程でイオン化され、水素イオンとなる。同様に、カソードガスが流路２８へ供給されると、カソードガス中の酸素が拡散層１６および触媒層１４を通過する過程でイオン化され、酸素イオンとなる。
【００３０】
そして、これらの水素イオン、酸素イオンが電解質膜１２に供給されると、電解質膜１２における反応で電力が発生する。また、これと同時にカソード側において、上記の水素イオンと酸素イオンとから水が生成される（（１／２）Ｏ２＋２Ｈ＋＋２ｅ−→Ｈ２Ｏ）。
【００３１】
アノードガス、カソードガスの流路２６，２８を多孔体３０で構成した場合、流路２６、流路２８内をアノードガス、カソードガスが流れる際の通気抵抗は、多孔体３０の多孔率によって影響を受ける。ここで、多孔率は、多孔体３０の全体積に占める微細孔の容積の割合である。
【００３２】
例えばアノードガスの流路２６において、単位セル毎に多孔体３０の多孔率が変化すると、アノードガスが多孔体３０を通過する際の通気抵抗が各単位セル毎に相違してしまう。このため、通気抵抗を均一にするためには、燃料電池スタック１０の全単位セルで流路２６内の多孔体３０の多孔率を均一とすることが望ましい。これにより、各単位セルにおけるアノードガスの圧力損失のバラツキを抑えることができるため、各単位セルへのアノードガス流量を均一にすることができ、発電効率を向上することが可能となる。カソードガスの流路２８においても同様に、カソードガスの通気抵抗を均一にするためには、全単位セルで流路２８内の多孔体３０の多孔率を均一とすることが望ましい。これにより、各単位セルにおけるカソードガスの圧力損失のバラツキを抑えることができるため、各単位セルへのカソードガス流量を均一にすることができ、発電効率を向上することが可能となる。
【００３３】
図２は、多孔体３０の重量と通気抵抗との関係を示す特性図であって、多孔体３０の体積（形状）を同一とし、重量を変化させた場合の通気抵抗の変化を示している。図２に示すように、多孔体３０の体積を同一とした場合、多孔体３０の重さ（密度）と通気抵抗との間には相関があり、多孔体３０の重量（密度）が増加するほど通気抵抗は増加する。これは、多孔体３０の重量（密度）の変化によって、多孔率が変化することに起因している。多孔体３０の重量（密度）が増加すると微細孔以外の部分の体積が増加するため、多孔体３０の全体積に対する微細孔の容積の割合が小さくなる。このため、多孔率が低下し、多孔体３０におけるガスの経路が縮小されるため、通気抵抗が増加する。従って、多孔体３０の重量に基づいて、多孔率、通気抵抗のレベルを判定することができる。
【００３４】
特に、多孔体３０は金属によって構成されるため、多孔体３０の幅、長さ、厚さは高精度に加工することができ、重さのバラツキは密度、多孔率のバラツキとなる。従って、多孔体３０の通気抵抗の大小のレベルは、多孔体３０の重さ、密度に基づいて判定することが可能となる。
【００３５】
このため、本実施形態では、各単位セルの流路２６、流路２８に設けられる多孔体３０の重量を計測し、重量が所定の範囲内となる多孔体３０を選別し、選別された多孔体３０のみを用いて燃料電池スタック１０を構成するようにしている。
【００３６】
図３は、燃料電池スタック１０に組み込むために用意された複数の多孔体３０の重量の分布を示す特性図である。ここでは、流路２６に設けられる多孔体３０の重量を例示しており、流路２６の形状は全単位セルで同一であるものとする。以下、主としてアノードガスの流路２６に設けられる多孔体３０の選別について説明するが、カソードガスの流路２８に設けられる多孔体３０についても同様の方法で選別することができる。
【００３７】
流路２６の形状を全単位セルで同一とした場合、全ての流路２６に設けられる各多孔体３０の形状は同一となる。従って、全ての流路２６に設けられる各多孔体３０の体積は同一となり、図３に示される個々の多孔体３０の重量の違いは、多孔率、および通気抵抗の違いを表すことになる。
【００３８】
図３に示すように、流路２６に挿入される多孔体３０の重量は、中央値Ｃを中心に分布している。そして、多孔体３０の重量には、上限値、下限値が設定されている。本実施形態では、重量が上限値と下限値の間の範囲に属する多孔体３０のみを用いて燃料電池スタック１０が構成される。これにより、各単位セルの流路２６に設けられる多孔体３０の多孔率のバラツキを抑えることができ、流路２６をアノードガスが流れる際の通気抵抗を全単位セルで均一化することができる。従って、燃料電池スタック１０の発電効率を向上することが可能となる。
【００３９】
アノードガスは、通常、水素ボンベに貯蔵された水素ガスをレギュレータで減圧して燃料電池スタック１０へ送られる。また、カソードガスは、通常、エアポンプの駆動によって燃料電池へ送られる。多孔体３０の通気抵抗にバラツキが生じていると、最も通気抵抗の大きい単位セルに合わせて、アノードガスの圧力を決定する必要があり、またはカソードガスを送るためのポンプの駆動量を決定する必要があり、システムの効率低下を招来することがある。
【００４０】
本実施形態の手法によれば、各単位セルの多孔体３０の多孔率のバラツキを抑えることができるため、アノードガスの圧力、カソードガスを送るためのポンプの駆動量を必要以上に増加する必要がなく、システム効率を向上することが可能である。
【００４１】
図４は、多孔体３０を選別する際の処理を示すフローチャートである。先ず、ステップＳ１では、多孔体３０を所定の大きさに加工する。ここでは、流路２６の形状に多孔体３０を加工する。
【００４２】
次のステップＳ２では、ステップＳ１で所定の形状に加工された多孔体３０の重さを計測する。次のステップＳ３では、多孔体３０の重さが所定の範囲内であるか否かを判定する。ここでは、多孔体３０の重さが図３の下限値以上、上限値以下であるか否かを判定する。
【００４３】
ステップＳ３で多孔体３０の重さが所定の範囲内の場合は、ステップＳ４へ進む。この場合、多孔体３０の重さが所定の範囲内であるため、このような多孔体３０を燃料電池スタック１０に組み付けることによって、各流路２６内における多孔体３０の通気抵抗のバラツキを抑えることができる。従って、ステップＳ４では、多孔体３０を燃料電池スタック１０へ組付けるため、多孔体３０を組付け工程へ送る。ステップＳ４の後は処理を終了する(END)。
【００４４】
一方、ステップＳ３で多孔体３０の重さが所定の範囲を外れている場合は、ステップＳ５へ進む。この場合、このような多孔体３０を燃料電池スタック１０に組み付けると、流路２６内における通気抵抗にバラツキが生じてしまうため、ステップＳ５では、この多孔体３０を組付け工程から排除する。ステップＳ５の後は処理を終了する(END)。
【００４５】
図４の処理によれば、多孔体３０の通気抵抗を直接計測することなく、通気抵抗を所定の範囲内に管理することが可能となる。従って、簡素な工程で燃料電池スタック１０の発電効率を向上することが可能となる。
【００４６】
以上説明したように実施の形態１によれば、重量に基づいて多孔体３０を選別することで、燃料電池スタック１０の流路２６、流路２８に組み込まれる多孔体３０の多孔率を均一化することができる。従って、流路２６、流路２８を流れるアノードガス、カソードガスの通気抵抗を均一化することができ、燃料電池スタック１０の発電効率を向上することが可能となる。
【００４７】
実施の形態２．
次に、本発明の実施の形態２について説明する。図５は、実施の形態２において、多孔体３０を選別する方法を示す模式図であって、実施の形態１の図３と同様に、燃料電池スタック１０に組み込まれる複数の多孔体３０の重量の分布を示す模式図である。
【００４８】
多孔体３０の通気抵抗がガスの供給に影響を与えるのは、主として多孔体３０の重量が重く、通気抵抗が大きい場合であり、この場合、ガスの供給が不足する単位セルが発生する。一方、多孔体３０の重量が軽い場合は、多孔体３０が組み込まれた単位セルの流量が増加するため、反応効率が低下することはなく、通気抵抗が高い場合に比べて大きな問題は生じない。
【００４９】
このため実施の形態２では、図５に示す上限値を超える重量の多孔体３０のみを組付け工程から排除するようにしている。
【００５０】
これにより、実施の形態１と比較すると、組付け工程から排除される多孔体３０の数を減少させることができ、多孔体３０の利用効率を高めることができる。また、多孔体３０の重量と上限値を比較するのみで多孔体３０を選別することができるため、個々の多孔体３０の重量を計測しなくても、個々の多孔体３０と上限値に相当する錘とを天秤等で比較することで選別を行うことができる。従って、選別工程を簡素化することが可能となる。
【００５１】
図６は、実施の形態２において、多孔体３０を選別する際の処理を示すフローチャートである。先ず、ステップＳ１１では、多孔体３０を所定の大きさに加工する。ここでは、流路２６の形状に多孔体３０を加工する。
【００５２】
次のステップＳ１２では、ステップＳ１１で所定の形状に加工された多孔体３０の重さが所定の値以下であるか否かを判定する。ここでは、多孔体３０の重さが図５に示す上限値以下であるか否かを判定する。
【００５３】
ステップＳ１２で多孔体３０の重さが上限値以下の場合は、ステップＳ１３へ進む。この場合、多孔体３０の重さが上限値以下であるため、このような多孔体３０を燃料電池スタック１０に組み付けることによって、流路２６の通気抵抗が過度に大きくなることを抑止できる。従って、ステップＳ１３では、選別された多孔体３０を燃料電池スタック１０へ組付けるため、多孔体３０を組付け工程へ送る。ステップＳ１３の後は処理を終了する(END)。
【００５４】
一方、ステップＳ１２で多孔体３０の重さが上限値を超えている場合は、ステップＳ１４へ進む。この場合、このような多孔体３０を燃料電池スタック１０に組み付けると、流路２６内の通気抵抗が過度に大きくなり、ガスの供給不足が生じてしまうため、ステップＳ１４では、この多孔体３０を組付け工程から排除する。ステップＳ１４の後は処理を終了する(END)。
【００５５】
以上説明したように実施の形態２によれば、通気抵抗が所定値よりも大きい多孔体３０を排除して燃料電池スタック１０を構成するため、流路２６、流路２８を流れるアノードガス、カソードガスの通気抵抗の増加を抑制することができる。従って、アノードガス、カソードガスの供給不足を抑えることができ、燃料電池スタック１０の発電効率を向上することが可能となる。
【００５６】
実施の形態３．
次に、本発明の実施の形態３について説明する。図７は、実施の形態３において、多孔体３０を選別する方法を示す模式図であって、実施の形態１の図３と同様に、燃料電池スタック１０に組み込まれる複数の多孔体３０の重量の分布を示す模式図である。
【００５７】
実施の形態３では、実施の形態１と同様に重量が上限値と下限値の間の範囲内の多孔体３０が選別される。そして、実施の形態３では、選別した多孔体３０をその重量に応じて更に細かく分類し、重量別に異なる燃料電池スタック１０（スタックＡ〜Ｄ）へ組み込むようにしている。
【００５８】
図７に示すように、重量がＷ１（下限値）〜Ｗ２の多孔体３０はスタックＡへ組み込まれる。また、重量がＷ２〜Ｗ３の多孔体３０はスタックＢへ組み込まれる。同様に、重量がＷ３〜Ｗ４の多孔体３０はスタックＣへ、重量がＷ４〜Ｗ５（上限値）の多孔体３０はスタックＤへ、それぞれ組み込まれる。これにより、各スタックＡ，Ｂ，Ｃ，Ｄのそれぞれにおいて、多孔体３０の通気抵抗を更に均一化することができ、通気抵抗のバラツキを最小限に抑えることが可能となる。
【００５９】
上述したように、多孔体３０の通気抵抗にバラツキが生じていると、最も通気抵抗の大きい単位セルに合わせてアノードガスの圧力を決定する必要があり、また最も通気抵抗の大きい単位セルに合わせてカソードガスを送るためのポンプの駆動量を決定する必要があるため、システムの効率低下を招来することがある。
【００６０】
本実施形態の手法によれば、選別された多孔体３０を重量に基づいて分類し、重量毎に多孔体３０を異なる燃料電池スタック１０に組み込むようにしたため、各スタックＡ，Ｂ，Ｃ，Ｄにおける通気抵抗のバラツキを最小限に抑えることができる。従って、各スタックＡ，Ｂ，Ｃ，Ｄの発電効率を向上するとともに、ポンプの駆動負荷等を低下させることができ、システム効率を向上することが可能となる。
【００６１】
図８は、実施の形態３における処理の手順を示すフローチャートである。先ず、ステップＳ２１では、多孔体３０を所定の大きさに加工する。ここでは、流路２６の形状に多孔体３０が加工される。
【００６２】
次のステップＳ２２では、ステップＳ２１で所定の形状に加工された多孔体３０の重さを測定する。次のステップＳ２３では、多孔体３０の重さが所定の範囲内であるか否かを判定する。ここでは、多孔体３０の重さが図７の下限値以上、上限値以下であるか否かを判定する。
【００６３】
ステップＳ２３で多孔体３０の重さが所定の範囲内の場合は、ステップＳ２４へ進む。この場合、ステップＳ２４では、選別された多孔体３０を重量別に分類し、重量に応じてスタックＡ〜Ｄの組付け工程へ送る。ステップＳ２４の後は処理を終了する(END)。
【００６４】
一方、ステップＳ２３で多孔体３０の重さが所定の範囲を外れている場合は、ステップＳ２５へ進む。この場合、このような多孔体３０を燃料電池スタック１０に組み付けると、流路２６内における通気抵抗が許容範囲から外れてしまうため、ステップＳ２５では、この多孔体３０を組付け工程から排除する。ステップＳ２５の後は処理を終了する(END)。
【００６５】
以上説明したように実施の形態３によれば、重量に基づいて多孔体３０を選別し、選別された多孔体３０を更に重量毎に異なるスタックＡ〜Ｄへ組み込むようにしたため、各スタックにおける流路２６，２８の通気抵抗のバラツキを最小限に抑えることができる。従って、燃料電池スタック１０の発電効率を向上することが可能となる。
【００６６】
実施の形態４．
次に、本発明の実施の形態４について説明する。実施の形態４は、重量に基づいて多孔体３０を選別した後、下限値未満の重量の多孔体３０を圧延加工して、多孔率を修正するものである。
【００６７】
図９は、実施の形態４において、多孔体３０を選別し、重量が下限値未満の多孔体３０を修正する方法を示す模式図である。実施の形態１と同様に、重量が上限値と下限値の範囲に属する多孔体３０が選別される。そして、重量が下限値未満の多孔体３０には、圧延加工による修正が施される。
【００６８】
実施の形態１で説明したように、多孔体３０は、チタン、ニッケルなどの金属をウレタン発泡法等の方法で発泡させて微細孔を形成したものである。従って、圧延加工を施すことで多孔体３０の厚さを薄くすることができ、この結果、多孔体３０の体積が縮小し、密度が増加する。これにより、多孔率が減少し、通気抵抗を増大させることができる。この結果、修正された多孔体３０の通気抵抗は、選別された多孔体３０の通気抵抗と同等になる。従って、修正された多孔体３０を燃料電池スタック１０に組み込むことで、選別されなかった多孔体３０を再利用することができ、多孔体３０の利用効率を高めることができる。
【００６９】
単位セルのアノード側において、セパレータ１８とリブ２２の接合部にはシール材が設けられている。また、リブ２２と拡散層１６の接合部にもシール材が設けられている。多孔体３０に圧延加工を施して多孔体３０の厚みを減少させた場合、これらのシール材の厚みを調整することで、多孔体３０の厚さを流路２６に適合させることができる。カソード側も同様にシール材が設けられており、多孔体３０の厚さを流路２８に適合させることが可能である。
【００７０】
図１０は、実施の形態４における処理の手順を示すフローチャートである。先ず、ステップＳ３１では、多孔体３０を所定の大きさに加工する。ここでは、流路２６の形状に多孔体３０を加工する。
【００７１】
次のステップＳ３２では、ステップＳ３１で所定の形状に加工された多孔体３０の重さを計測する。次のステップＳ３３では、多孔体３０の重さが所定の範囲内であるか否かを判定する。ここでは、多孔体３０の重さが図９の下限値以上、上限値以下であるか否かを判定する。
【００７２】
ステップＳ３３で多孔体３０の重さが所定の範囲内の場合は、ステップＳ３４へ進む。この場合、多孔体３０の重さが所定の範囲内であるため、このような多孔体３０を燃料電池スタック１０に組み付けることによって、各流路２６内における多孔体３０の通気抵抗のバラツキを抑えることができる。従って、ステップＳ３４では、多孔体３０を燃料電池スタック１０へ組付けるため、多孔体３０を組付け工程へ送る。ステップＳ３４の後は処理を終了する(END)。
【００７３】
一方、ステップＳ３３で多孔体３０の重さが所定の範囲を外れている場合は、ステップＳ３５へ進む。ステップＳ３５では、多孔体３０の重さが図９の下限値未満であるか否かを判定する。
【００７４】
ステップＳ３５で多孔体３０の重さが下限値未満の場合は、ステップＳ３６へ進む。ステップＳ３６では、多孔体３０に圧延加工を行い、多孔体３０の厚さを減少させる。これにより、通気抵抗が増加し、多孔体３０の通気抵抗をステップＳ３３で選別された多孔体３０と同等にすることができる。
【００７５】
一方、ステップＳ３５で多孔体３０の重さが下限値以上の場合は、ステップＳ３７へ進む。この場合、多孔体３０の重さが上限値を超えているため、ステップＳ３７では、この多孔体３０を組付け工程から排除する。ステップＳ３７の後は処理を終了する(END)。
【００７６】
以上説明したように実施の形態４によれば、多孔体３０の重さが下限値未満の場合は、多孔体３０に圧延加工を施して修正するようにしたため、多孔体３０の通気抵抗を増加することができる。従って、修正後の多孔体３０を燃料電池スタック１０に組み込むことができ、多孔体３０の利用効率を高めることが可能となる。
【００７７】
実施の形態５．
次に、本発明の実施の形態５について説明する。実施の形態５は、重量に基づいて多孔体３０を選別した後、上限値を超える重量の多孔体３０を切削加工して空隙を設け、多孔率が許容範囲内となるように修正するものである。
【００７８】
図１１は、実施の形態５において、多孔体３０を選別し、重量が上限値を超える多孔体３０を修正する方法を示す模式図である。実施の形態１と同様に、重量が上限値と下限値の範囲に属する多孔体３０が選別される。そして、重量が上限値を超える多孔体３０には、切削加工が施される。
【００７９】
図１１に示すように、多孔体３０には、切削加工により表面に空隙（切り欠き）３０ａが形成される。この場合、多孔体３０が流路２６、流路２８に組みつけられると、流路２６、流路２８内を流れるガスは空隙３０ａを通って流れることができる。従って、空隙３０ａは微細孔と同様にガスを通過させる機能を有しており、空隙３０ａを形成することで多孔体３０の多孔率を増加することができる。この結果、修正された多孔体３０の通気抵抗は、選別された多孔体３０の通気抵抗と同等になり、修正された多孔体３０を燃料電池スタック１０に組み込むことで、選別されなかった多孔体３０を再利用することができ、多孔体３０の利用効率を高めることができる。
【００８０】
従って、多孔体３０の重量が上限値を超えている場合であっても、多孔体３０を廃棄することなく、燃料電池スタック１０に組み込むことが可能となる。なお、空隙３０ａは圧延加工によって形成しても良い。
【００８１】
図１２は、実施の形態５における処理の手順を示すフローチャートである。先ず、ステップＳ４１では、多孔体３０を所定の大きさに加工する。ここでは、流路２６の形状に多孔体３０を加工する。
【００８２】
次のステップＳ４２では、ステップＳ４１で所定の形状に加工された多孔体３０の重さを測定する。次のステップＳ４３では、多孔体３０の重さが所定の範囲内であるか否かを判定する。ここでは、多孔体３０の重さが図１１の下限値以上、上限値以下であるか否かを判定する。
【００８３】
ステップＳ４３で多孔体３０の重さが所定の範囲内の場合は、ステップＳ４４へ進む。この場合、多孔体３０の重さが所定の範囲内であるため、このような多孔体３０を燃料電池スタック１０に組み付けることによって、各流路２６内における多孔体３０の通気抵抗のバラツキを抑えることができる。従って、ステップＳ４４では、多孔体３０を燃料電池スタック１０へ組付けるため、多孔体３０を組付け工程へ送る。ステップＳ４４の後は処理を終了する(END)。
【００８４】
一方、ステップＳ４３で多孔体３０の重さが所定の範囲を外れている場合は、ステップＳ４５へ進む。ステップＳ４５では、多孔体３０の重さが図１１の上限値を超えているか否かを判定する。
【００８５】
ステップＳ４５で多孔体３０の重さが上限値を超えている場合は、ステップＳ４６へ進む。ステップＳ４６では、多孔体３０に切削加工を行い、多孔体３０の表面に空隙３０ａを形成する。これにより、多孔体３０の多孔率が増加し、通気抵抗を減少させることができる。従って、多孔体３０の通気抵抗をステップＳ４３で選別された多孔体３０と同等にすることができる。
【００８６】
一方、ステップＳ４５で多孔体３０の重さが上限値以下の場合は、ステップＳ４７へ進む。この場合、多孔体３０の重さが下限値未満であるため、ステップＳ４７では、この多孔体３０を組付け工程から排除する。ステップＳ４７の後は処理を終了する(END)。
【００８７】
以上説明したように実施の形態５によれば、多孔体３０の重さが上限値を超えている場合は、多孔体３０に切削加工を施して表面に空隙３０ａを形成するようにしたため、多孔体３０の通気抵抗を減少させることができる。従って、切削加工後の多孔体３０を燃料電池スタック１０に組み込むことができ、多孔体３０の利用効率を高めることが可能となる。
【図面の簡単な説明】
【００８８】
【図１】本発明の各実施形態に係る燃料電池を構成する単位セルの断面図である。
【図２】多孔体の重量と通気抵抗との関係を示す特性図である。
【図３】複数の多孔体の重量の分布を示す特性図である。
【図４】実施の形態１において、多孔体を選別する際の処理を示すフローチャートである。
【図５】実施の形態２において、多孔体を選別する方法を示す模式図である。
【図６】実施の形態２において、多孔体を選別する際の処理を示すフローチャートである。
【図７】実施の形態３において、多孔体を選別する方法を示す模式図である。
【図８】実施の形態３における処理の手順を示すフローチャートである。
【図９】実施の形態４において、多孔体を選別し、重量が下限値未満の多孔体を修正する方法を示す模式図である。
【図１０】実施の形態４における処理の手順を示すフローチャートである。
【図１１】実施の形態５において、多孔体を選別し、重量が上限値を超える多孔体３０を修正する方法を示す模式図である。
【図１２】実施の形態５における処理の手順を示すフローチャートである。
【符号の説明】
【００８９】
１０  燃料電池スタック
２６，２８  流路
３０  多孔体
３０ａ  空隙（切り欠き）
【図１】
2007184134.tif 000003
【図２】
2007184134.tif 000004
【図３】
2007184134.tif 000005
【図４】
2007184134.tif 000006
【図５】
2007184134.tif 000007
【図６】
2007184134.tif 000008
【図７】
2007184134.tif 000009
【図８】
2007184134.tif 000010
【図９】
2007184134.tif 000011
【図１０】
2007184134.tif 000012
【図１１】
2007184134.tif 000013
【図１２】
2007184134.tif 000014